(57)【要約】【課題】履き心地の低下を避けつつ着用したときの靴との滑りが発生することを抑制して、製造コストを極めて低くする。【解決手段】パンティーストッキング１は、腹部および臀部を被覆するパンティー部３と、脚部を被覆するレッグ部２と、足部を被覆するフット部５とを備え、そのフット部５の足指近傍から土踏まず前端近傍にかけた第１の領域Ｒ（１）に第１のすべり止め部６２、および、土踏まず後端近傍から踵近傍にかけた第２の領域Ｒ（２）に第２のすべり止め部６４を備える。これらのすべり止め部には、足裏の肌が当接する側、および、ストッキング１を着用して靴を履いた場合に靴の中敷きが当接する側の両側に、フット部５を形成する伸縮性編地Ｋを浸透したシリコーン樹脂Ｓが、離散的な点状に、かつ、伸縮性編地Ｋから突出することなく平面的に、設けられている。【選択図】図１
2020037751.tif 000002
【特許請求の範囲】
【請求項１】
少なくともフット部を備え、ストッキング生地を使った下半身用衣類であって、
前記フット部において、足裏の肌が当接する側、および、前記下半身用衣類を着用して靴を履いた場合に靴の中敷きが当接する側の両側に、前記フット部を形成するストッキング生地を浸透したシリコーン樹脂が、離散的に、かつ、平面的に、設けられていることを特徴とする、ストッキング生地を使った下半身用衣類。
【発明の詳細な説明】
【技術分野】
【０００１】
本発明は、ストッキング生地を使った下半身用衣類である、フット部とレッグ部とを備えたストッキング、フット部とレッグ部とに加えてパンティー部を備えたパンティーストッキング、ストッキングの中でレッグ部の丈の長さが短いショートストッキング等に関し、特に、少なくともフット部を備えたストッキング生地を使った下半身用衣類（これらをまとめてストッキング等と記載する場合がある）であって、このような下半身用衣類を着用して靴を履いて歩いた場合の靴内における足の滑りによる不快感の発生を抑制することができたり、このような下半身用衣類を着用して室内のフローリング等の床面を歩いた場合に滑ることに起因した転倒等を抑制することができたりする、ストッキング生地を使った下半身用衣類に関する。なお、本発明に係る下半身用衣類の説明における伸縮性編地とはストッキング生地を示す。
【背景技術】
【０００２】
近年の生活習慣上、人が靴を履くときに足に装着する衣類としての靴下を多くの人々が使用している。そのような衣類の中で、特に、女性の下半身を覆うストッキングは、外出時における女性の脚部の保護さらには脚線美の向上の観点等から、広く世間に浸透している。
現在市販されているほとんどのストッキングは、ナイロン糸、または、ナイロン糸とポリウレタン糸とで編まれている。使用している糸により、「交編」および「ゾッキ」の２種類に大別される。
【０００３】
交編（交編編み）は、ナイロン糸と、サポート糸（ポリウレタン糸にナイロン糸を巻き付けたカバリング糸）を交互に使用して編成する。ある程度のサポート（弾性）力および透明感の両方を求めるときに好適である。太さの異なる２種類の糸を使用するため横縞模様が表れる。
ゾッキ（ゾッキ編み）は、一般的にはサポート糸（ポリウレタン糸にナイロン糸を巻き付けたカバリング糸）だけで編成されているものが多い。良好なフィット性を求めるときに好適である。また、いわゆる伝線（使用中に編み組織の一部に引掛傷ができ糸が切れると生成される編組織が解編されたはしご状の線）が発生しにくいという特徴を備えたゾッキ編みのストッキングが、最近では増えてきている。
【０００４】
このようにストッキングは、ナイロン糸から編成された伸縮性編地またはナイロン糸とポリウレタン糸とから編成された伸縮性編地により形成される合成繊維素材であるために、摩擦抵抗が小さく滑りが非常に良いことが特徴であり、極めて好ましい履き心地を実現できている。
ところが、このようなストッキングを着用して靴を履いて歩いたときに、靴内における足の滑りによる不快感が発生する場合や、歩きにくく疲れ易い場合がある。特に、踵の高い靴、いわゆるハイヒ−ルを着用して歩いたときに、ストッキングの足裏部分の表面の摩擦係数が小さいために、ストッキングの足裏部分の表面とハイヒールの中敷きとの間に滑りが生じ、体重が爪先方向にかかることにより、足甲上部がアーチにより圧迫されて不快感および／または疲労感が発生したり、重心が爪先に移動して足指に負担がかかり外反母趾を助長する結果となったりする場合がある。また、このようなストッキングを着用して室内で滑りやすいフローリング等の床面を歩いた場合には、ストッキングの足裏部分の表面の摩擦係数が小さいために、ストッキングの足裏部分の表面と床面との間に滑りが生じることに起因して転倒等することも考えられる。
【０００５】
このような背景の元で、実用新案登録第３１６１７３７号公報（特許文献１）は、簡単な構造でありながら、靴内での足の滑りを防止できる靴下等の足覆いを開示する。この特許文献１に開示された靴下等の足覆いは、足を覆う足覆い本体の少なくとも足裏部分の内周面には、内部側に突出する滑り止め用の複数の内突起が設けられ、さらに、その足裏部分の外周面には、外部側に突出する滑り止め用の複数の外突起が設けられ、これら内外突起は、少なくともつま先部分及び踵部分に設けられてなることを特徴とする。
【先行技術文献】
【特許文献】
【０００６】
【特許文献１】実用新案登録第３１６１７３７号公報
【発明の概要】
【発明が解決しようとする課題】
【０００７】
しかしながら、この特許文献１に開示された靴下等の足覆いは、少なくともつま先部分及び踵部における、足裏部分の内周面に内部側に突出する滑り止め用の複数の内突起、および、足裏部分の外周面に外部側に突出する滑り止め用の複数の外突起が設けられているために、このような構成をストッキング等に適用すると、ストッキングの履き心地の良さが損なわれてしまい、不快感が発生する着用者も存在する。すなわち、足裏部分の内周面および外周面に突出する滑り止め用の複数の内突起および外突起が、足裏に集中するツボを刺激してしまい、着用者がツボ刺激に対して過敏な場合には著しい不快感を発生する可能性が極めて高い。
【０００８】
さらに、この特許文献１に開示された靴下等の足覆いは、足裏部分の内周面および外周面に突出する滑り止め用の複数の内突起および外突起を、それぞれ足裏部分の内周面に内部側に突出、および、足裏部分の外周面に外部側に突出するように設けなければならない。
この特許文献１の第００２５段落には、第１実施形態として、足裏部分の内外周面に半球状の内外突起を形成する製造方法として、突起模様の開孔を有する型板上から加熱溶融した軟性樹脂や天然ゴム等の素材を上面が平坦になるように塗布するか、あるいは、内外突起を半球状に形成した上で接着剤や縫着等で固定することによって製造する方法が記載されており、半球状の多数の内外突起を形成しなければならない。
【０００９】
さらに、この特許文献１の第００３１段落には、第２実施形態として、足裏部分の内外周面に半球状の内外突起を形成する製造方法として、シートの片面に内外突起が突起模様の開孔を有する型板上から加熱溶融した軟性樹脂や天然ゴム等の素材を上面が平坦になるように塗布することにより半球状の内外突起を設けて、かつ、このシートの他面に両面テープが貼着された内外シート材を準備して、この内外シート材２枚を靴下本体の足裏部分の内周面および外周面に固定することによって製造する方法が記載されており、半球状の多数の内外突起をシートの片面に形成しなければならないことに加えて、シートの他面に両面テープを貼付した上で、（つま先部分及び踵部の内外周面それぞれの計４枚の）シートを靴下本体の足裏部分の内外周面に固定しなければならない。
【００１０】
このようないずれの実施形態であっても製造コストが安くなる可能性が極めて低く、単価の安い靴下やストッキングに代表される下半身用衣類（特にストッキング生地を使った下半身用衣類）において厳しく管理される原価を低減させることができない。
本発明は、従来技術の上述の問題点に鑑みて開発されたものであり、その目的とするところは、履き心地の低下を避けつつ着用したときの靴および床面との滑りが発生することを抑制して、かつ、製造コストを極めて低くすることが可能なストッキング生地を使った下半身用衣類を提供することを目的とする。
【課題を解決するための手段】
【００１１】
上記目的を達成するため、本発明に係るストッキング生地を使った下半身用衣類は以下の技術的手段を講じている。
すなわち、本発明に係るストッキング生地を使った下半身用衣類は、少なくともフット部を備え、前記フット部において、足裏の肌が当接する側、および、前記下半身用衣類を着用して靴を履いた場合に靴の中敷きが当接する側の両側に、前記フット部を形成するストッキング生地を浸透したシリコーン樹脂が、離散的に、かつ、平面的に、設けられていることを特徴とする。
【００１２】
好ましくは、前記フット部において、足指近傍から土踏まず前端近傍にかけた第１の領域、および、土踏まず後端近傍から踵近傍にかけた第２の領域のそれぞれの領域内において、前記シリコーン樹脂が設けられているように構成することができる。
【発明の効果】
【００１３】
本発明の下半身用衣類によれば、履き心地の低下を避けつつ着用したときの靴および床面との滑りが発生することを抑制して、かつ、製造コストを極めて低くすることが可能なストッキング生地を使った下半身用衣類を提供することができる。
【図面の簡単な説明】
【００１４】
【図１】本発明の実施の形態に係るパンティーストッキング１の（Ａ）概略正面図（腹側）、（Ｂ）概略背面図（背中側、尻側）である。
【図２】（Ａ）パンティーストッキング１を着用した場合を想定した足裏側の平面図（靴中敷きまたは床面に当接する側）、（Ｂ）図２（Ａ）の２Ｂ−２Ｂに示す断面図、（Ｃ）図２（Ａ）の２Ｃに示す拡大図である。
【発明を実施するための形態】
【００１５】
以下、本発明の実施の形態に係るパンティーストッキング１を、図面に基づき詳しく説明する。
図１（Ａ）にこのパンティーストッキング１を平面に載置した状態における（腹側である）概略正面図を、図１（Ｂ）にその状態における（背中側、尻側である）概略背面図を、それぞれ示す。図１（Ａ）は正面図であるのでフット部５は足甲側が示され、図１（Ｂ）は背面図であるのでフット部５は足甲側ではなく足裏側（靴中敷きまたは床面に当接する側）が示されている。また、図２（Ａ）に、このパンティーストッキング１を着用した場合を想定した足裏側の平面図（靴中敷きまたは床面に当接する側）を、図２（Ｂ）に図２（Ａ）の２Ｂ−２Ｂに示す断面図を、図２（Ｃ）に図２（Ａ）の２Ｃに示す拡大図を、それぞれ示す。なお、図２（Ｃ）に示す伸縮性編地Ｋの編み目の大きさは実際の編み目の大きさを表したものとは限らない。
【００１６】
これらの図に示すように、このパンティーストッキング１は、通常のパンティーストッキング等の下半身用衣類と同じく、腹部および臀部を被覆するパンティー部３と、脚部を被覆するレッグ部２と、足部を被覆するフット部５とを備えるものである。このパンティーストッキング１は、筒状に編成された１対の編地を用い、パンティー部３に相当する部分に切れ目を入れて裁断縁どうしをつき合わせて股部４を縫着して一体化することにより製造される。また、フット部５の爪先部は周知の手段により、袋状に編成することにより製造される。このようなパンティーストッキング１は、少なくともフット部を備え、ストッキング生地を使った下半身用衣類の代表例である。
【００１７】
ここで、本実施の形態に係る下半身用衣類をパンティーストッキングとしているが、本発明は少なくともフット部を備えるストッキング、ショートストッキング等の下半身用衣類（ストッキング等）であることは上述した通りである。
このパンティーストッキング１は、ナイロン糸と、サポート糸（ポリウレタン糸にナイロン糸を巻き付けたカバリング糸）を交互に使用して編成した交編編みであっても、ポリウレタン弾性糸を芯糸としてナイロン糸を巻き付けたカバリング糸の１種類のみで編成したゾッキ編みであっても、合成繊維を含む編糸により編成された伸縮性編地（ストッキング生地）により形成されたパンティーストッキングであれば構わない。
【００１８】
なお、上述した以外にもパンティーストッキングの構造には様々なものがあり、本発明は特定の構造に限定されるものではなく、後述する特徴（フット部において、足裏の肌が当接する側、および、下半身用衣類を着用して靴を履いた場合に靴の中敷きが当接する側の両側に、フット部を形成するストッキング生地を浸透したシリコーン樹脂が、離散的に、かつ、平面的に、設けられている）を備えたものであれば、どのようなパンティーストッキングの構造であっても、パンティーストッキングを構成する生地の種類、生地の型紙およびその縫製がどのようなものであっても構わない。そのため、本実施の形態に係るパンティーストッキング１において、後述する特徴以外の構造自体は単なる例示でしかない。
【００１９】
図２に示すように、このパンティーストッキング１は、そのフット部５において（より詳しくは第１のすべり止め部６２が設けられる足指近傍から土踏まず前端近傍にかけた第１の領域Ｒ（１）、および、第２のすべり止め部６４が設けられる土踏まず後端近傍から踵近傍にかけた第２の領域Ｒ（２）の２つの領域内において）、足裏の肌が当接する側、
および、パンティーストッキング１を着用して靴を履いた場合に靴の中敷きが当接する側の両側に、フット部５を形成するストッキング生地を浸透したシリコーン樹脂が、離散的に、かつ、平面的に、設けられ、すべり止め部６（より詳しくは第１のすべり止め部６２および第２のすべり止め部６４）を形成している。ここで、図２（Ａ）は、着用者の足Ｆにこのパンティーストッキング１を着用している状態を想定している。すなわち、本発明の実施の形態に係るパンティーストッキング１は、伸縮性生地（ストッキング生地）で形成されているために、このように想定して図示しない場合には伸縮性生地が縮んだ状態となり、パンティーストッキング１の形状を理解することが難しくなる可能性に鑑みて、上述のように想定している。
【００２０】
さらに、詳しくは、このシリコーン樹脂Ｓは、図２（Ｂ）および図２（Ｃ）に示すように、足裏の肌が当接する側、および、パンティーストッキング１を着用して靴を履いた場合に靴の中敷きが当接する側の両側に、フット部５を形成するストッキング生地（伸縮性編地Ｋと記載する場合がある）を浸透して設けられている。さらに、このシリコーン樹脂Ｓは、図２（Ａ）に示すように（限定されるものではないが）多数の点状に離散的に設けられており、第１の領域Ｒ（１）および第２の領域Ｒ（２）の全体にシリコーン樹脂Ｓが全面的に設けられているものではない。さらに、このシリコーン樹脂Ｓは、図２（Ｂ）に示すように（特許文献１とは異なり突起状ではなく）平面的に設けられており、伸縮性編地Ｋから突出してシリコーン樹脂Ｓが設けられているものではない。また、このシリコーン樹脂Ｓが平面的に設けられているとは、伸縮性編地Ｋの表面から突出（突き出ている）しているもののみを除くことを意味しており、シリコーン樹脂Ｓが伸縮性編地Ｋの表面と略同一のものも、シリコーン樹脂Ｓが伸縮性編地Ｋの表面からへこんでいるものも、シリコーン樹脂Ｓが伸縮性編地Ｋの表面から（突き出るのではなく）わずかに出っ張っているものも、含む。
【００２１】
このように、第１の領域Ｒ（１）に第１のすべり止め部６２を、第２の領域Ｒ（２）に第２のすべり止め部６４をそれぞれ設けるためには（フット部５において足裏部を形成する伸縮性編地にすべり止め部６を形成するためには）、限定されるものではないが、以下のような製造方法を採用することにより、製造コストを極めて安価に抑制することができる。
【００２２】
上述したように、筒状に編成された１対の編地を用い、パンティー部３に相当する部分に切れ目を入れて裁断縁どうしをつき合わせて股部４を縫着して一体化して、さらに、フット部５の爪先部は周知の手段により袋状に編成して、フット部５において足裏部を形成する伸縮性編地にすべり止め部６（第１のすべり止め部６２および第２のすべり止め部６４）を備えないパンティーストッキング１を完成させる。
【００２３】
このようなパンティーストッキング１のフット部５に、たとえば金属製の足型プレートを（パンティーストッキング１の表裏を裏返すことなくそのまま）挿入して、足裏の肌が当接する伸縮性編地に、金属製のパンチングメタル（図２（Ａ）における第１のすべり止め部６２および第２のすべり止め部６４に対応する多数の孔が開いた型板）の上から、加熱したり配合を調整したりすること等により十分に粘度を下げて（小さくして）さらさら状態のシリコーン樹脂を塗布する。このとき、シリコーン塗布ヘッド、パンチングメタル、足裏の肌が当接する伸縮性編地（パンティーストッキング１の表裏を裏返していないのでこの伸縮性生地において靴側（外側）にシリコーン塗布ヘッドがある）、足型プレート、足甲の肌が当接する伸縮性編地、の順になる。
【００２４】
粘度が十分に小さいシリコーン樹脂Ｓは、図２（Ｂ）および図２（Ｃ）に示すようにパンチングメタルに開けられた多数の孔から足裏の肌が当接する伸縮性編地の靴側（外側）から肌側（内側）へ、伸縮性編地Ｋの編み目の間に浸入して、伸縮性編地を浸透して、第１のすべり止め部６２および第２のすべり止め部６４を形成する。足型プレートに孔は開いていないので、足裏の肌が当接する伸縮性編地を浸透したシリコーン樹脂Ｓは足型プレートを越えて浸透することができないために足甲の肌が当接する伸縮性編地へ浸透しない。このようなシリコーン樹脂Ｓの塗布および浸透工程において、シリコーン樹脂Ｓを塗布した部分（パンチングメタルに開けられた多数の孔の部分）を含めてパンティーストッキ
ング１をプレスすることも、フット部５において足裏部を形成する伸縮性編地の表裏にシリコーン樹脂Ｓを好適に固着させる点で好ましい。なお、このようにすべり止め部を形成させるときには（浸透させるために）粘度が十分に小さいシリコーン樹脂Ｓであっても、すべり止め部が形成された後は、通常のシリコーン樹脂等と同様の粘着性等の特性を備える。
【００２５】
ここで、シリコーン樹脂Ｓの浸透方向は、靴の中敷きが当接する伸縮性編地における靴側（外側）から肌側（内側）であることに限定されるものではなく、逆に（パンティーストッキング１の表裏を裏返して金属製の足型プレートに挿入して）、足裏の肌が当接する伸縮性編地における肌側（内側）から靴側（外側）であっても構わない。さらに、多数の点状に離散的にシリコーン樹脂Ｓを設ける場合には、上述したようにパンチングメタルを用いるものに限定されるものではなく、第１のすべり止め部６２および第２のすべり止め部６４に対応する多数の小さな吐出口を備えたシリコーン塗布ヘッドを用いて伸縮性編地Ｋに塗布するようにしても構わない。
【００２６】
ここで、図２（Ｂ）に示す足裏の肌が当接する側（肌側、内側）の方が、足裏の肌が当接する側の反対側である靴側（外側）よりもシリコーン樹脂Ｓの粘着性が高い（肌側の方が靴側よりも粘着性が高い）。このような肌側の方が靴側よりも粘着性が高いという粘着性の差異は、たとえば、シリコーン樹脂Ｓの塗布および浸透工程において、シリコーン樹脂Ｓを塗布した部分を含めてパンティーストッキング１を靴側（外側）から熱プレスすることにより、伸縮性編地Ｋを浸透したシリコーン樹脂Ｓにおける靴側（外側）が肌側（内側）よりも硬くなり粘着性が低下することが理由であると考えられる。しかしながら、この粘着性の差異はこのような理由以外であっても構わない。このように、粘着性の差異が発生する理由が限定されないことは、伸縮性編地Ｋにおけるシリコーン樹脂Ｓの浸透方向を限定しないことにも繋がる。どのような理由であっても、本発明に係る下半身用衣類のフット部５において足裏部を形成する伸縮性編地の足裏の肌が当接する側（肌側、内側）の方が足裏の肌が当接する側の反対側である靴側（外側）よりも、すべり止め部の粘着性が高ければ（靴側（外側）よりも足裏の肌が当接する側（肌側、内側）の方が滑りにくければ）構わない。
【００２７】
いずれにしても、第１の領域Ｒ（１）に第１のすべり止め部６２が、第２の領域Ｒ（２）に第２のすべり止め部６４が、フット部５において足裏部を形成する伸縮性編地を浸透して設けられる。このため、粘着性を備えたシリコーン樹脂Ｓにより、足Ｆとパンティーストッキング１との密着性、および、パンティーストッキング１と靴の中敷きまたは床面との密着性を高めて、パンティーストッキング１を着用して靴を履いて歩いた場合の靴内における足の滑りによる不快感の発生を抑制することができたり、このような下半身用衣類を着用して室内のフローリング等の床面を歩いた場合に滑ることに起因した転倒等を抑制することができる。さらに、シリコーン樹脂Ｓを伸縮性編地Ｋに浸透させることにより、フット部５において足裏部を形成する伸縮性編地の足裏の肌が当接する側（肌側、内側）、および、足裏の肌が当接する側の反対側である靴側（外側）にすべり止め部を形成するために、製造コストを極めて低く抑えることができる。
【００２８】
以上のようにして、本実施の形態に係るパンティーストッキングによると、履き心地の低下を避けつつ着用したときの靴および床面との滑りが発生することを抑制して、かつ、製造コストを極めて低くすることが可能なストッキング生地を使った下半身用衣類を提供することができる。
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００２９】
本発明は、履き心地の低下を避けつつ着用したときの靴および床面との滑りが発生することを抑制でき、しかも製造コストが極めて低いストッキング生地を使った下半身用衣類に好適であり、特に、フット部を備えたパンティーストッキング等の下半身用衣類に特に
好適である。
【符号の説明】
【００３０】
１    パンティーストッキング
２    レッグ部
３    パンティー部
４    股部
５    フット部
６    すべり止め部
６２  第１のすべり止め部
６４  第２のすべり止め部
Ｒ（１）  （第１のすべり止め部６２が設けられる）第１の領域
Ｒ（２）  （第２のすべり止め部６４が設けられる）第２の領域
【図１】
2020037751.tif 000003
【図２】
2020037751.tif 000004